(57)【要約】
　【課題】姿勢の保持を確実に行う。
　【解決手段】軽量、かつ硬質素材を用いてなり着用者の背中全域に対応する面積を有する矯正具本体板２と、当該矯正具本体板２の上端に一体に設けられた左右の肩掛け部２１と、矯正具本体板２の左右に設けられた一対の肩掛けベルト３と、当該肩掛けベルト３に連設された胸部締め付けベルト４と、前記矯正具本体板２の下端に設けられた腰部締め付けベルト５とから構成した。
【選択図】図１
0003099420.tif 000002
【実用新案登録請求の範囲】
【請求項１】
　着用することによって、姿勢を矯正する矯正具において、
　軽量、かつ硬質素材を用いてなり着用者の背中全域に対応する面積を有する矯正具本体板と、当該矯正具本体板の上端に一体に設けられた左右の肩掛け部と、矯正具本体板の左右に設けられた一対の肩掛けベルトと、当該肩掛けベルトに連設された胸部締め付けベルトと、前記矯正具本体板の下端に設けられた腰部締め付けベルトとからなることを特徴とする姿勢矯正具。
【請求項２】
　肩掛けベルトを左右の肩掛け部の先端部からそれぞれ矯正具本体板の外側面に回して外側面で交差させ、その先端に連設された胸部締め付けベルトを胸部へ回して掛止することを特徴とする請求項１に記載の姿勢矯正具。
【考案の詳細な説明】
【技術分野】
【０００１】
　本考案は、姿勢を矯正するための姿勢矯正具に関する。
【背景技術】
【０００２】
　この出願の発明に関連する先行技術文献情報としては、例えば次のものがある。
【特許文献１】特開２００３‐３８５３６号（〔００２２〕〜〔００３１〕、〔図１〕および〔図２〕）
【特許文献２】特開２００３‐１４４４６８号（（０００７）〜〔００１５〕、〔図１〕〜〔図４〕）
【考案の開示】
【考案が解決しようとする課題】
【０００３】
　しかしながら、例示した特許文献に記載の矯正具は、着用者の背中を支持するための板状部が伸縮はしないが撓み可能であったり、伸縮可能であったりするため、着用者の背中を伸ばした状態での支持が不確実なものである。
　具体的には、伸縮を防止して姿勢を保持しようとするものの、撓みが生じるために着用状態が不完全である場合には背中と共に曲がってしまい姿勢の保持ができないものであった。
　また、伸縮可能であるものでは、着用者の背中の曲がりに生じる力が伸縮力を上回る場合、やはり、背中と共に曲がってしまい姿勢の保持ができないものであった。
【０００４】
　そこで本考案は、姿勢の保持を確実に行うことを課題とし、この課題を達成する姿勢矯正具の提供を目的とする。
【課題を解決するための手段】
【０００５】
　上記目的を達成するために本考案は下記の技術的手段を採用した。
　その技術的手段は、着用することによって、姿勢を矯正する矯正具において、
　軽量、かつ硬質素材を用いてなり着用者の背中全域に対応する面積を有する矯正具本体板と、当該矯正具本体板の上端に一体に設けられた左右の肩掛け部と、矯正具本体板の左右に設けられた一対の肩掛けベルトと、当該肩掛けベルトに連設された胸部締め付けベルトと、前記矯正具本体板の下端に設けられた腰部締め付けベルトとから構成した。（請求項１）
　また、肩掛けベルトを左右の肩掛け部の先端部からそれぞれ矯正具本体板の外側面に回して外側面で交差させ、その先端に連設された胸部締め付けベルトを胸部へ回して掛止する。（請求項２）
【考案の効果】
【０００６】
　本考案の姿勢矯正具は、以上の構成により、下記の効果を有する。
　（１）軽量、かつ硬質の矯正具本体板によって、背中の曲がりを確実に防止することができる上に、軽量であるので着用時の不快感を防止することができる。
　（２）また、肩掛け部によって矯正具本体板のずれを防止するとともに、着用位置を確実に保持しながら、胸部締め付けベルトおよび腰部締め付けベルトの締め付けを行うことができる。
　（３）そして、肩掛け部および胸部締め付けベルトさらには腰部締め付けベルトによってずれなく確実な着用状態を保持することができる。
　（４）請求項２の考案によれば、前記（１）〜（３）の効果に加えて、胸部締め付けベルトを前方に引っ張ることによって、肩掛けベルトが引っ張られ、この引っ張り力は矯正具本体板を着用者の背中に押し付ける方向に作用するので、背中の曲がりをより確実に防止することができる。
【考案を実施するための最良の形態】
【０００７】
　矯正具本体板は、たとえば、硬質の合成樹脂材や木材、あるいはアルミニウム材等の軽量な素材が例示できる。
　また、矯正具本体板は、着用者の背中の上下方向の形状に略適合するように成型することが好ましい。
　肩掛けベルトおよび胸部締め付けベルトは、伸縮性が無い帯状素材が例示できる。
　腰部締め付けベルトは腰骨の矯正についても作用するものであり、可能な限り幅広のものが好ましい。
　また、腰部締め付けベルトは、バックルまたはベルベット式ファスナーやホックによって締め付け状態を保持する構造が例示できる。
【実施例】
【０００８】
　以下、本考案の実施例を図１ないし図３に基づいて説明する。
　本考案の姿勢矯正具１は、硬質の合成樹脂材を用いて所定形状に成型した矯正具本体板２と、肩掛けベルト３および胸部締め付けベルト４と、腰部締め付けベルト５とから構成されている。
【０００９】
　矯正具本体板２は、上端の左右に着用者Ａの肩部に引っ掛ける肩掛け部２１を一体に備えている。
　詳述すると、着用者Ａの肩部の形状に略適合するように湾曲させた前記肩掛け部２１から着用者の腰部に亘って、着用者Ａの背中の形状に略適合する形状に成型されている。
【００１０】
　肩掛けベルト３と胸部締め付けベルト４は、一体に連設された左右一対のものである。
　詳述すると、前記左右の肩掛け部２１の内側に、肩掛けベルト３と胸部締め付けベルト４を構成する左右一対の帯状体６をそれぞれ固定している。
　帯状体６の一方には長さを調節する調節部（図示せず）が配され、帯状体６の先端側には左右の帯状体６を連結するバックル６２が装備されている。
　このようにした帯状体６は、矯正具本体板２の外側面に回して外側面で交差させることによってループ状の肩掛けベルト３を構成するとともに、胸部締め付けベルト４を構成し、この胸部締め付けベルト４を前方へ回してバックル６２で掛止することによって、着用者Ａが着用できるようにしている。
　符号６３は、帯状体６の保持部である。
【００１１】
　腰部締め付けベルト５は、内側の幅広の内側ベルト５１と、外側の幅狭の外側ベルト５２とから構成されている。
　内側ベルト５１は、左右一対とするコルセット状のものであり、左右から前方へ回してベルベット式ファスナー５１Ａによって係止する。
　外側ベルト５２は、左右一対とする帯状のものであり、左右から前方へ回してバックル５２Ａによって係止する。
　また、外側ベルト５２の一方には、一方には長さを調節する調節部（図示せず）が装備されている。
【００１２】
　次に、前記構成の姿勢矯正具１の着用方法を説明する。
　あらかじめ、前記帯状体６を矯正具本体板２の外側面で保持部６３に通して交差させて肩掛けベルト３を構成するとともに、胸部締め付けベルト４を構成し、この状態で肩掛け部２１を肩部に引っ掛けて矯正具本体板２を背負う。
　そして、胸部締め付けベルト４を引っ張り、矯正具本体板２を背中にぴったりと付けた状態で左右の胸部締め付けベルト４をバックル６２で係止する。
　さらに、前記内側ベルト５１を引っ張り、矯正具本体板２を背中にぴったりと付けた状態で左右の内側ベルト５１をベルベット式ファスナー５１で係止するとともに、左右の外側ベルトをバックル５２Ａで係止する。
　この方法によって、姿勢矯正具１を確実に着用することができる。
【図面の簡単な説明】
【００１３】
【図１】本考案に係る姿勢矯正具を示す。
【図２】着用状態正面を示す。
【図３】着用状態背面を示す。
【符号の説明】
【００１４】
　１：姿勢矯正具
　２：矯正具本体板
　３：肩掛けベルト
　４：胸部締め付けベルト
　５：腰部締め付けベルト
２１：肩掛け部
　Ａ：着用者
【図１】
0003099420.tif 000003
【図２】
0003099420.tif 000004
【図３】
0003099420.tif 000005
【手続補正書】
【提出日】平成15年9月11日(2003.9.11)
【手続補正１】
【補正対象書類名】実用新案登録請求の範囲
【補正対象項目名】請求項１
【補正方法】変更
【補正の内容】
【請求項１】
　着用することによって、姿勢を矯正する矯正具において、
　軽量、かつ硬質素材を用いてなり着用者の背中全域に対応する面積を有する矯正具本体板と、当該矯正具本体板の上端に一体に設けられた左右の肩掛け部と、矯正具本体板の左右に設けられた一対の肩掛けベルトと、当該肩掛けベルトに連設された胸部締め付けベルトと、前記矯正具本体板の下端に設けられた腰部締め付けベルトと、腰部締め付けベルトの下方に設けられた股関節締め付けベルトとからなることを特徴とする姿勢矯正具。
【手続補正２】
【補正対象書類名】明細書
【補正対象項目名】全文
【補正方法】変更
【補正の内容】
【考案の詳細な説明】
【技術分野】
【０００１】
　本考案は、姿勢を矯正するための姿勢矯正具に関する。
【背景技術】
【０００２】
　この出願の発明に関連する先行技術文献情報としては、例えば次のものがある。
【特許文献１】特開２００３‐３８５３６号（〔００２２〕〜〔００３１〕、〔図１〕および〔図２〕）
【特許文献２】特開２００３‐１４４４６８号（（０００７）〜〔００１５〕、〔図１〕〜〔図４〕）
【考案の開示】
【考案が解決しようとする課題】
【０００３】
　しかしながら、例示した特許文献に記載の矯正具は、着用者の背中を支持するための板状部が伸縮はしないが撓み可能であったり、伸縮可能であったりするため、着用者の背中を伸ばした状態での支持が不確実なものである。
　具体的には、伸縮を防止して姿勢を保持しようとするものの、撓みが生じるために着用状態が不完全である場合には背中と共に曲がってしまい姿勢の保持ができないものであった。
　また、伸縮可能であるものでは、着用者の背中の曲がりに生じる力が伸縮力を上回る場合、やはり、背中と共に曲がってしまい姿勢の保持ができないものであった。
【０００４】
　そこで本考案は、姿勢の保持を確実に行うことを課題とし、この課題を達成する姿勢矯正具の提供を目的とする。　
【課題を解決するための手段】
【０００５】
　上記目的を達成するために本考案は下記の技術的手段を採用した。
　その技術的手段は、着用することによって、姿勢を矯正する矯正具において、
　軽量、かつ硬質素材を用いてなり着用者の背中全域に対応する面積を有する矯正具本体板と、当該矯正具本体板の上端に一体に設けられた左右の肩掛け部と、矯正具本体板の左右に設けられた一対の肩掛けベルトと、当該肩掛けベルトに連設された胸部締め付けベルトと、前記矯正具本体板の下端に設けられた腰部締め付けベルトと、腰部締め付けベルトの下方に設けられた股関節締め付けベルトとから構成した。（請求項１）
　また、肩掛けベルトを左右の肩掛け部の先端部からそれぞれ矯正具本体板の外側面に回して外側面で交差させ、その先端に連設された胸部締め付けベルトを胸部へ回して掛止する。（請求項２）
【考案の効果】
【０００６】
　本考案の姿勢矯正具は、以上の構成により、下記の効果を有する。
　（１）軽量、かつ硬質の矯正具本体板によって、背中の曲がりを確実に防止することができる上に、軽量であるので着用時の不快感を防止することができる。
　（２）また、肩掛け部によって矯正具本体板のずれを防止するとともに、着用位置を確実に保持しながら、胸部締め付けベルトおよび腰部締め付けベルト、さらには、股関節締め付けベルトの締め付けを行うことができる。
　（３）そして、肩掛け部および胸部締め付けベルトさらには腰部締め付けベルトによってずれなく確実な着用状態を保持することができる。
　（４）請求項２の考案によれば、前記（１）〜（３）の効果に加えて、胸部締め付けベルトを前方に引っ張ることによって、肩掛けベルトが引っ張られ、この引っ張り力は矯正具本体板を着用者の背中に押し付ける方向に作用するので、背中の曲がりをより確実に防止することができる。
【考案を実施するための最良の形態】
【０００７】
　矯正具本体板は、たとえば、硬質の合成樹脂材や木材、あるいはアルミニウム材等の軽量な素材が例示できる。
　また、矯正具本体板は、着用者の背中の上下方向の形状に略適合するように成型することが好ましい。
　肩掛けベルトおよび胸部締め付けベルトは、伸縮性が無い帯状素材が例示できる。
　腰部締め付けベルトは腰骨の矯正についても作用するものであり、可能な限り幅広のものが好ましい。
　また、腰部締め付けベルトは、バックルまたはベルベット式ファスナーやホックによって締め付け状態を保持する構造が例示できる。
　股関節締め付けベルトは、
【実施例】
【０００８】
　以下、本考案の実施例を図１ないし図３に基づいて説明する。
　本考案の姿勢矯正具１は、硬質の合成樹脂材を用いて所定形状に成型した矯正具本体板２と、肩掛けベルト３および胸部締め付けベルト４と、腰部締め付けベルト５と、股関節締め付けベルト５１とから構成されている。
【０００９】
　矯正具本体板２は、上端の左右に着用者Ａの肩部に引っ掛ける肩掛け部２１を一体に備えている。
　詳述すると、着用者Ａの肩部の形状に略適合するように湾曲させた前記肩掛け部２１から着用者の腰部に亘って、着用者Ａの背中の形状に略適合する形状に成型されている。
【００１０】
　肩掛けベルト３と胸部締め付けベルト４は、一体に連設された左右一対のものである。
　詳述すると、前記左右の肩掛け部２１の内側に、肩掛けベルト３と胸部締め付けベルト４を構成する左右一対の帯状体６をそれぞれ固定している。
　帯状体６の一方には長さを調節する調節部（図示せず）が配され、帯状体６の先端側には左右の帯状体６を連結するバックル６２が装備されている。
　このようにした帯状体６は、矯正具本体板２の外側面に回して外側面で交差させることによってループ状の肩掛けベルト３を構成するとともに、胸部締め付けベルト４を構成し、この胸部締め付けベルト４を前方へ回してバックル６２で掛止することによって、着用者Ａが着用できるようにしている。
　符号６３は、帯状体６の保持部である。
【００１１】
　腰部締め付けベルト５は、左右一対とするコルセット状のものであり、左右から前方へ回してベルベット式ファスナー５Ａによって係止する。
【００１２】
　股関節締め付けベルト５１は、左右一対とする帯状のものであり、左右から前方へ回してバックル５１Ａによって係止する。
　また、股関節締め付けベルト５１の一方には、長さを調節する調節部（図示せず）が装備されている。
　股関節締め付けベルト５１は、腰部締め付けベルト５の下方に、かつ股関節に対応する臀部周りを締め付け可能な位置にあり、当該股関節締め付けベルト５１を締め付けることによって、股関節の矯正を行うことができる。
　なお、股関節の矯正については、腰部締め付けベルト５の幅を広くして股関節に対応する臀部周りを締め付けるようにしてもよい。
　また、腰部締め付けベルト５の幅を広くして股関節を締め付けるようにした場合には、股関節締め付けベルト５１を腰部締め付けベルト５の最下部周りに重ねた状態で配設してもよいし、腰部締め付けベルト５のみで股関節を締め付けるようにしてもよい。
　さらに、腰部締め付けベルト５の最上部に胴部締め付けベルト（図示せず）を重ねるようにして用いてもよく、この胴部締め付けベルトと股関節締め付けベルトによって腰部締め付けベルトのずれを防止することができる。
【００１３】
　次に、前記構成の姿勢矯正具１の着用方法を説明する。
　あらかじめ、前記帯状体６を矯正具本体板２の外側面で保持部６３に通して交差させて肩掛けベルト３を構成するとともに、胸部締め付けベルト４を構成し、この状態で肩掛け部２１を肩部に引っ掛けて矯正具本体板２を背負う。
　そして、胸部締め付けベルト４を引っ張り、矯正具本体板２を背中にぴったりと付けた状態で左右の胸部締め付けベルト４をバックル６２で係止する。
　さらに、前記腰部締め付けベルト５を引っ張り、矯正具本体板２を背中にぴったりと付けた状態で左右の腰部締め付けベルト５を巻き付けてベルベット式ファスナー５Ａで係止する。
　最後に、股関節締め付けベルト５１を巻き付けてバックル５１Ａで係止する。
　この方法によって、姿勢矯正具１を確実に着用することができる。
【００１４】
　なお、本考案の姿勢矯正具は、例えば、腰痛用に肩に掛けず一本の胸部締め付けベルトと前記股関節締め付けベルトとからなる構成にできるようにしてもよい。（図示せず）
　また、本考案の姿勢矯正具には、着用者に接触する部位の一部または全域に磁気を発する部材を配設してもよい。（図示せず）
【図面の簡単な説明】
【００１５】
【図１】本考案に係る姿勢矯正具を示す。
【図２】着用状態正面を示す。
【図３】着用状態背面を示す。
【符号の説明】
【００１６】
　１：姿勢矯正具
　２：矯正具本体板
　３：肩掛けベルト
　４：胸部締め付けベルト
　５：腰部締め付けベルト
５１：股関節締め付けベルト
２１：肩掛け部
　Ａ：着用者
【手続補正３】
【補正対象書類名】図面
【補正対象項目名】全図
【補正方法】変更
【補正の内容】
【図１】
0003099420.tif 000006
【図２】
0003099420.tif 000007
【図３】
0003099420.tif 000008